(57)【要約】【課題】  幼児ごとに、それぞれ創造性を発揮して、組立てに挑戦できる、また、パズル的な面白みも追求できる玩具としての組立具を提供する。【解決手段】  長方形の４面及び正方形の２面からなる３個の立体１と、大小の長方形の２面、二等辺台形の２面及び正方形の２斜面からなる２個の立体２と、長方形の２面、平行四辺形の２面及び正方形の２斜面からなる２個の立体３とを用いて、人間の形態に組み立てて立体物１００とする。各立体１〜３は、面に埋設された磁石を相互に吸着させることで一体に組み立てられる。【選択図】      図１３
0003130523.tif 000002
【実用新案登録請求の範囲】
【請求項１】
短辺の長さＡ、長辺の長さＡｘ（ｘはＡｘ≧Ａなる任意数）の長方形である４面と、１辺の長さＡの正方形である２面とからなり、各面にそれぞれ少なくとも１個の磁石を有する直方体と、
短辺の長さＡ、長辺の長さ√２Ａｘの長方形である１面と、短辺の長さＡ、長辺の長さ√２Ａｘ−√２Ａの長方形である１面と、底辺の長さ√２Ａｘ、底辺に対する２斜辺の各傾斜角４５度、高さ√２Ａ（１／２）の二等辺台形である２面と、１辺の長さＡの正方形である２斜面とからなり、前記正方形の２斜面にそれぞれ少なくとも１個の磁石を有する立体と、
短辺の長さＡ、長辺の長さ√２Ａｘの長方形である２面と、長辺の長さ√２Ａｘ、短辺の長さＡ、長辺と短辺との鋭角４５度の平行四辺形である２面と、１辺の長さＡの正方形である２斜面とからなり、前記正方形の２斜面にそれぞれ少なくとも１個の磁石を有する立体と、
を備えてなることを特徴とする組立具。（但し、√２は２１／２を表す。以下同じ）
【請求項２】
前記各立体に加えて、短辺の長さＡ、長辺の長さＡｘの長方形である１面と、短辺の長さＡ、長辺の長さＡｘ−Ａの長方形である１面と、底辺の長さＡｘ、底辺に対する１斜辺の傾斜角４５度、高さＡの台形である２面と、１辺の長さＡの正方形である１面と、短辺の長さＡ、長辺の長さ√２Ａの長方形である１斜面とからなり、各面にそれぞれ少なくとも１個の磁石を有する立体を、さらに備えてなることを特徴とする請求項１記載の組立具。
【請求項３】
前記各立体に加えて、短辺の長さＡ、長辺の長さ√２Ａｘの長方形である１面と、底辺の長さ√２Ａｘ、２斜辺の長さＡｘ、底辺に対する２斜辺の各傾斜角４５度の直角二等辺三角形である２面と、短辺の長さＡ、長辺の長さＡｘの長方形である２斜面とからなり、前記長方形の１面及び長方形の２斜面にそれぞれ少なくとも１個の磁石を有する立体を、さらに備えてなることを特徴とする請求項１又は請求項２記載の組立具。
【請求項４】
前記各立体に加えて、半径Ａｘ、高さＡの円柱を高さ方向に４分の１に等分割してなる１つの立体であり、この立体の高さ方向の正方形の２面にそれぞれ少なくとも１個の磁石を有する立体を、さらに備えてなることを特徴とする請求項１、請求項２又は請求項３記載の組立具。
【考案の詳細な説明】
【技術分野】
【０００１】
本考案は、複数種類の立体を備え、それらの立体を様々な形態の立体物に組み立てる玩具としての組立具に関する。
【背景技術】
【０００２】
従来、幼稚園、保育所で、あるいは家庭で、幼児が、遊びなどに使用する積み木は、直方体、三角形体、正四角形体、平行四辺形体などのものが主体で、それらをどれか土台にして積み上げていくだけなので、作製し得る形は、一定のものに限られ、バリエーションが少なく、面白みに欠ける。
【０００３】
また、子供たちに、何かの創造性をもたせるために、積み木を使用してという場合でも、組み立て得る結果は、限られたものであるため、創造性を育てるとまではいかなかった。更に、パズルのように、最終的な立体物がいくらか想定され、多くの想定、判断ステップを経て、各ブロックを組立てていき、知恵を絞りながら、完成させていくという、面白みが無く、知恵を絞るということも、できなかった。
【０００４】
なお、積み木ブロックに磁石を埋設し、ブロック同士を磁石で吸着して組み立てるようにした積み木玩具が、これまで提案されている（例えば、特許文献１参照）。この特許文献１記載の積み木玩具は、３種類の基本立体（２種類は三角錐、１種類は四角錐）で構成され、これら３種類の基本立体を相互に各面ごとに密着させるか、又は積み木として組合せることで、多様な立体図形を現出させるものである。また上記特許文献１には、各基本立体の裏面に面磁石を施し、磁石により基本立体同士を吸着させることも記載されている。
【特許文献１】実用新案登録第３０４６０６８号公報
【考案の開示】
【考案が解決しようとする課題】
【０００５】
しかしながら、上記特許文献１記載の積み木玩具において、３種類の基本立体は三角錐か四角錐であり、いずれも三角形や四角形の面から構成されるものであるため、その立体形状から組み合わせのバリエーションが少なく、種々のものを想定して、創造性のあるものを組み立てるというには、十分ではない。
【０００６】
この考案は、上記問題点に着目してなされたものであって、幼児ごとに、それぞれ創造性を発揮して、組立てに挑戦できる、また、パズル的な面白みも追求できる玩具としての組立具を提供することを目的としている。
【課題を解決するための手段】
【０００７】
上記課題を解決するために、本考案の組立具は、基本構成として次の３つの立体を備えてなることを特徴とする。
１）短辺の長さＡ、長辺の長さＡｘ（ｘはＡｘ≧Ａなる任意数）の長方形である４面と、１辺の長さＡの正方形である２面とからなり、各面にそれぞれ少なくとも１個の磁石を有する直方体。
２）短辺の長さＡ、長辺の長さ√２Ａｘの長方形である１面と、短辺の長さＡ、長辺の長さ√２Ａｘ−√２Ａの長方形である１面と、底辺の長さ√２Ａｘ、底辺に対する２斜辺の各傾斜角４５度、高さ√２Ａ（１／２）の二等辺台形である２面と、１辺の長さＡの正方形である２斜面とからなり、前記正方形の２斜面にそれぞれ少なくとも１個の磁石を有する立体。
３）短辺の長さＡ、長辺の長さ√２Ａｘの長方形である２面と、長辺の長さ√２Ａｘ、短辺の長さＡ、長辺と短辺との鋭角４５度の平行四辺形である２面と、１辺の長さＡの正方形である２斜面とからなり、前記正方形の２斜面にそれぞれ少なくとも１個の磁石を有する立体。
【０００８】
この組立具において、更に次の立体を備えても良い。
４）短辺の長さＡ、長辺の長さＡｘの長方形である１面と、短辺の長さＡ、長辺の長さＡｘ−Ａの長方形である１面と、底辺の長さＡｘ、底辺に対する１斜辺の傾斜角４５度、高さＡの台形である２面と、１辺の長さＡの正方形である１面と、短辺の長さＡ、長辺の長さ√２Ａの長方形である１斜面とからなり、各面にそれぞれ少なくとも１個の磁石を有する立体。
【０００９】
この組立具において、更に次の立体を備えても良い。
５）短辺の長さＡ、長辺の長さ√２Ａｘの長方形である１面と、底辺の長さ√２Ａｘ、２斜辺の長さＡｘ、底辺に対する２斜辺の各傾斜角４５度の直角二等辺三角形である２面と、短辺の長さＡ、長辺の長さＡｘの長方形である２斜面とからなり、前記長方形の１面及び長方形の２斜面にそれぞれ少なくとも１個の磁石を有する立体。
【００１０】
この組立具において、更に次の立体を備えても良い。
６）半径Ａｘ、高さＡの円柱を高さ方向に４分の１に等分割してなる１つの立体であり、この立体の高さ方向の正方形の２面にそれぞれ少なくとも１個の磁石を有する立体。
【考案の効果】
【００１１】
請求項１記載の考案によれば、３種類の全く異なる形態の立体を備えてなるので、幼児ごとに、それぞれ創造性を発揮して、様々な形状の立体物の組立てに挑戦できるだけでなく、パズル的な面白みも追求でき、遊びはもちろんのこと、知育にも大いに役立つ。
【００１２】
請求項２〜４記載の考案によれば、より一層、複雑な形状の立体物を組み立てることが可能となる上に、パズル的な面白みも増す。
【考案を実施するための最良の形態】
【００１３】
以下、実施形態により、この考案をさらに詳細に説明する。
【００１４】
実施形態に係る組立具の基本構成である３種類の立体の斜視図を図１〜図３に示す。
【００１５】
図１に示す立体（直方体）１は、短辺の長さＡ、長辺の長さＡｘ（ｘはＡｘ≧Ａなる任意数）の長方形である４面１１と、１辺の長さＡの正方形である２面１２とからなる。長方形の４面１１には、それぞれ２個の磁石１６が埋設され、正方形の２面１２には、それぞれ１個の磁石１７が埋設されている。
【００１６】
この直方体１の正面図を図７の（ａ）に、その矢視Ｐから見た側面図を図７の（ｂ）に示す。図７に直方体１のサイズの一例を示してあるように、長方形の４面１１の短辺の長さ２５ｍｍ、長辺の長さ５０ｍｍであり、正方形の２面１２の１辺の長さ２５ｍｍである。
【００１７】
４面１１にそれぞれ埋設された磁石１６及び２面１２にそれぞれ埋設された磁石１７は、直径６ｍｍ、厚さ３ｍｍの円盤状ものである。４面１１の磁石１６は面１２から１２．５ｍｍの位置に配置され、２面１２の磁石１７は面１２の中央に配置されている。この磁石１６，１７は、当該直方体１同士や後記他の立体２〜６との脱着性を考慮して最適位置に必要最低数だけ配置されている。他の立体２〜６の磁石２６，３６，４６，４７，５６，５７，６６も同様である。
【００１８】
各磁石１６，１７の磁極は、それぞれ図示の通りである。但し、図７の（ａ）に現れていない面１１の磁石１６の磁極は正面に示された磁極と同一である。もちろん、Ｓ極とＮ極は反対であってもよい。なお、図面には示していないが、面１１の長辺の長さ７５ｍｍの別の直方体を加えても構わない。
【００１９】
図２に示す立体２は、短辺の長さＡ、長辺の長さ√２Ａｘの長方形である１面２１と、短辺の長さＡ、長辺の長さ√２Ａｘ−√２Ａの長方形である１面２２と、底辺の長さ√２Ａｘ、底辺に対する２斜辺の各傾斜角４５度、高さ√２Ａ（１／２）の二等辺台形である２面２３と、１辺の長さＡの正方形である２斜面２４とからなる。正方形の２斜面２４には、それぞれ１個の磁石２６が埋設されている。
【００２０】
この立体２の正面図を図８の（ａ）に、その平面図（上面図）を図８の（ｂ）に、（ａ）の矢視Ｑから見た側面図を図８の（ｃ）に示す。この立体２のサイズ例は、図８に示してある通り、長方形の１面２１の短辺の長さ２５ｍｍ、長辺の長さ１０６．１ｍｍである。長方形の１面２２の短辺の長さ２５ｍｍ、長辺の長さ７０．７ｍｍである。二等辺台形の２面２３の底辺の長さ１０６．１ｍｍ、２斜辺の各長さ２５ｍｍ、高さ１７．６８ｍｍである。正方形の２斜面２４の１辺の長さ２５ｍｍである。
【００２１】
２斜面２４にそれぞれ埋設された磁石２６は、前記磁石１６，１７と同様に直径６ｍｍ、厚さ３ｍｍの円盤状ものであり、面２４の中央に配置されている。磁石２６の磁極は図示の通りである。なお、図面には示していないが、面２３の底辺の長さ７０．７ｍｍ、上辺の長さ（面２２の長辺の長さ）３５．３６ｍｍの別の立体を加えても構わない。
【００２２】
図３に示す立体３は、短辺の長さＡ、長辺の長さ√２Ａｘの長方形である２面３１と、長辺の長さ√２Ａｘ、短辺の長さＡ、長辺と短辺との鋭角４５度の平行四辺形である２面３２と、１辺の長さＡの正方形である２斜面３３とからなる。正方形の２斜面３３には、それぞれ１個の磁石３６が埋設されている。
【００２３】
この立体３の正面図を図９の（ａ）に、その平面図（上面図）を図９の（ｂ）に、（ａ）の矢視Ｒから見た側面図を図９の（ｃ）に示す。この立体３のサイズ例は、図９に示してある通り、長方形の２面３１の短辺の長さ２５ｍｍ、長辺の長さ７０．７ｍｍである。平行四辺形の２面３２の長辺の長さ７０．７ｍｍ、短辺の長さ２５ｍｍ、長辺と短辺との鋭角４５度である。正方形の２斜面３３の１辺の長さ２５ｍｍである。
【００２４】
２斜面３３にそれぞれ埋設された磁石３６は、前記と同様に直径６ｍｍ、厚さ３ｍｍの円盤状ものであり、斜面３３の中央に配置されている。磁石３６の磁極は図示の通りである。なお、図面には示していないが、面３２の長辺の長さ３５．３６ｍｍの別の立体を加えても構わない。
【００２５】
この実施形態の組立具は、上記立体１〜３を基本構成として備えるが、更に別形態の立体４〜６を備えてもよく、それについて説明する。
【００２６】
図４に示す立体４は、短辺の長さＡ、長辺の長さＡｘの長方形である１面４１と、短辺の長さＡ、長辺の長さＡｘ−Ａの長方形である１面４２と、底辺の長さＡｘ、底辺に対する１斜辺の傾斜角４５度、高さＡの台形である２面４３と、１辺の長さＡの正方形である１面４４と、短辺の長さＡ、長辺の長さ√２Ａの長方形である１斜面４５とからなる。面４１〜４３には、それぞれ１個の磁石４６が埋設され、面４４，４５には、それぞれ１個の磁石４７が埋設されている。
【００２７】
この立体４の正面図を図１０の（ａ）に、その平面図（上面図）を図１０の（ｂ）に、（ａ）の矢視Ｓから見た側面図を図１０の（ｃ）に示す。この立体４のサイズ例は、図１０に示してある通り、長方形の１面４１の短辺の長さ２５ｍｍ、長辺の長さ７５ｍｍである。長方形の１面４２の短辺の長さ２５ｍｍ、長辺の長さ５０ｍｍである。台形の２面４３の底辺の長さ７５ｍｍ、底辺に対する１斜辺の傾斜角４５度、高さ２５ｍｍである。正方形の１面４４の１辺の長さ２５ｍｍである。長方形の１斜面４５の短辺の長さ２５ｍｍ、長辺の長さ３５．３６ｍｍである。
【００２８】
面４１〜４３にそれぞれ埋設された磁石４６及び面４４，４５にそれぞれ埋設された磁石４７は、前記と同様に直径６ｍｍ、厚さ３ｍｍの円盤状ものである。磁石４６は面４４から１２．５ｍｍの位置に配置され、磁石４７は面４４，４５の中央に配置されている。磁石４６，４７の磁極は図示の通りである。
【００２９】
図５に示す立体５は、短辺の長さＡ、長辺の長さ√２Ａｘの長方形である１面５１と、底辺の長さ√２Ａｘ、２斜辺の長さＡｘ、底辺に対する２斜辺の各傾斜角４５度の直角二等辺三角形である２面５２と、短辺の長さＡ、長辺の長さＡｘの長方形である２斜面５３とからなる。面５１には、２個の磁石５６が埋設され、２斜面５３には、それぞれ１個の磁石５７が埋設されている。
【００３０】
この立体５の正面図を図１１の（ａ）に、その平面図（上面図）を図１１の（ｂ）に、（ａ）の矢視Ｔから見た側面図を１１の（ｃ）に示す。この立体５のサイズ例は、図１１に示してある通り、長方形の１面５１の短辺の長さ２５ｍｍ、長辺の長さ７０．７ｍｍである。直角二等辺三角形の２面５２の底辺の長さ７０．７ｍｍ、２斜辺の長さ５０ｍｍ、底辺に対する２斜辺の各傾斜角４５度である。長方形の２斜面５３の短辺の長さ２５ｍｍ、長辺の長さ５０ｍｍである。
【００３１】
面５１に埋設された磁石５６及び２斜面５３にそれぞれ埋設された磁石５７は、前記と同様に直径６ｍｍ、厚さ３ｍｍの円盤状ものである。磁石５６は面５１と面５３との交線から１７．６８ｍｍの位置に配置され、磁石５７は面５３同士の交線から１２．５ｍｍの位置に配置されている。磁石５６，５７の磁極は図示の通りである。
【００３２】
図６に示す立体６は、半径Ａｘ、高さＡの円柱を高さ方向に４分の１に等分割してなる１つの立体である。この立体６は、高さ方向の２面６１を有し、２面６１には、それぞれ１個の磁石６６が埋設されている。
【００３３】
この立体６の正面図を図１２の（ａ）に、その矢視Ｕから見た側面図を１２の（ｂ）に示す。この立体６のサイズ例については、図１２に示してある通り、半径２５ｍｍ、高さ２５ｍｍの円柱を１／４に等分割したものであるため、２面６１は１辺２５ｍｍの正方形である。
【００３４】
２面６１にそれぞれ埋設された磁石６６は、前記と同様に直径６ｍｍ、厚さ３ｍｍの円盤状ものであり、面６１の中央に配置されている。磁石６６の磁極は図示の通りである。
【００３５】
次に、上記立体１〜６を使用して様々な形態に組み立てた立体物の例について、図１３〜図１９を参照して説明する。
【００３６】
図１３は、３個の立体１、２個の立体２、２個の立体３を用いて、人間の形態に組み立てた立体物１００を示す。各立体１〜３は、相互に磁石同士を吸着させることで、一体に組み立てられている。図１３の（ａ）では人間が両腕を下げた様態であるが、図１３の（ｂ）のように両腕に相当する立体２の向きを変えることで、両腕を上げた万歳の様態にすることができる。
【００３７】
図１４は、１個の立体１−１及び長めの２個の立体１−２、４個の立体２−１及び長めの２個の立体２−２、２個の立体３を用いて、木の形態に組み立てた立体物１０１を示す。
【００３８】
図１５は、２個の立体１−１及び長めの４個の立体１−２、４個の立体２を用いて、図示のような形態に組み立てた立体物１０２を示す。このような複雑な立体物１０２も組み立てることができる。
【００３９】
図１６は、１個の立体１−１及び長めの２個の立体１−２、２個の立体２を用いて、家の形態に組み立てた立体物１０３を示す。
【００４０】
図１７は、２個の立体１、１個の立体３、２個の立体４を用いて、数字の“１”の形態に組み立てた立体物１０４を示す。
【００４１】
図１８は、１個の立体１−１及び長めの２個の立体１−２、２個の立体３、１個の立体４−１、長めの２個の立体４−２及び短めの１個の立体４−３を用いて、動物（例えば馬）の形態に組み立てた立体物１０５を示す。このように種々の立体物を組み合わせることで動物を細かい部分ごとに組み立てることができる。また、頭に相当する立体３や尾に相当する立体３の向きを変えることで、馬の異なる姿態や動作を表現することも可能である。
【００４２】
図１９に示す立体物１０６は、図１３の人間形態の立体物１００の変更例であり、脚に相当する部分に２個の立体２を用い、各立体２に靴に相当する立体６を吸着させたものである。
【００４３】
このように、本実施形態の組立具によれば、幼児ごとに、それぞれ創造性を発揮して、様々な形状の立体物の組立てに挑戦できるだけでなく、パズル的な面白みも追求でき、遊びはもちろんのこと、知育にも大いに役立つ。しかも、基本構成の立体１〜３だけでなく、立体４〜６も加えたり、同じ立体であっても長さの異なる立体を加えたりすることで、より一層、複雑な形状の立体物を組み立てることが可能となる上に、パズル的な面白みも増す。
【図面の簡単な説明】
【００４４】
【図１】実施形態に係る組立具における基本構成としての立体１を示す斜視図である。
【図２】実施形態に係る組立具における基本構成としての立体２を示す斜視図である。
【図３】実施形態に係る組立具における基本構成としての立体３を示す斜視図である。
【図４】実施形態に係る組立具に追加する立体４を示す斜視図である。
【図５】実施形態に係る組立具に追加する立体５を示す斜視図である。
【図６】実施形態に係る組立具に追加する立体６を示す斜視図である。
【図７】図１の立体１の正面図（ａ）、及びその矢視Ｐから見た側面図（ｂ）である。
【図８】図２の立体２の正面図（ａ）、その平面図（上面図）（ｂ）、及び（ａ）の矢視Ｑから見た側面図（ｃ）である。
【図９】図３の立体３の正面図（ａ）、その平面図（上面図）（ｂ）、及び（ａ）の矢視Ｒから見た側面図（ｃ）である。
【図１０】図４の立体４の正面図（ａ）、その平面図（上面図）（ｂ）、及び（ａ）の矢視Ｓから見た側面図（ｃ）である。
【図１１】図５の立体５の正面図（ａ）、その平面図（上面図）（ｂ）、及び（ａ）の矢視Ｔから見た側面図（ｃ）である。
【図１２】図６の立体６の正面図（ａ）、及びその矢視Ｕから見た側面図（ｂ）である。
【図１３】３個の立体１、２個の立体２、２個の立体３を用いて、人間の形態に組み立てた立体物の一様態の正面図（ａ）、及び別様態の正面図（ｂ）である。
【図１４】１個の立体１−１及び長めの２個の立体１−２、４個の立体２−１及び長めの２個の立体２−２、２個の立体３を用いて、木の形態に組み立てた立体物の正面図である。
【図１５】２個の立体１−１及び長めの４個の立体１−２、４個の立体２を用いて、或る形態に組み立てた立体物の正面図である。
【図１６】１個の立体１−１及び長めの２個の立体１−２、２個の立体２を用いて、家の形態に組み立てた立体物の正面図である。
【図１７】２個の立体１、１個の立体３、２個の立体４を用いて、数字の“１”の形態に組み立てた立体物の正面図である。
【図１８】１個の立体１−１及び長めの２個の立体１−２、２個の立体３、１個の立体４−１、長めの２個の立体４−２及び短めの１個の立体４−３を用いて、動物（例えば馬）の形態に組み立てた立体物の正面図である。
【図１９】図１３の人間形態の立体物の変更例であり、脚に相当する部分に２個の立体２を用い、各立体２に靴に相当する立体６を吸着させた立体物の正面図である。
【符号の説明】
【００４５】
１〜３            立体物（基本構成）
４〜６            立体物
１１，１２        面
１６，１７        磁石
２１〜２４        面
２６              磁石
３１〜３３        面
３６              磁石
４１〜４５        面
４６，４７        磁石
５１〜５３        面
５６，５７        磁石
６１              面
６６              磁石
１００〜１０６    立体物
【図１】
0003130523.tif 000003
【図２】
0003130523.tif 000004
【図３】
0003130523.tif 000005
【図４】
0003130523.tif 000006
【図５】
0003130523.tif 000007
【図６】
0003130523.tif 000008
【図７】
0003130523.tif 000009
【図８】
0003130523.tif 000010
【図９】
0003130523.tif 000011
【図１０】
0003130523.tif 000012
【図１１】
0003130523.tif 000013
【図１２】
0003130523.tif 000014
【図１３】
0003130523.tif 000015
【図１４】
0003130523.tif 000016
【図１５】
0003130523.tif 000017
【図１６】
0003130523.tif 000018
【図１７】
0003130523.tif 000019
【図１８】
0003130523.tif 000020
【図１９】
0003130523.tif 000021